(57)【要約】  除細動装置によって位置決めされる緊急呼び出しのための情報を記録する技術が開示される。除細動装置は、除細動器を含み、さらに、除細動ベースも含む。ユーザは、除細動装置が設置された位置といった情報を入力し、その情報は、除細動装置のメモリに格納される。除細動装置は、ユーザに情報の入力を促す。除細動装置は、ユーザによって話された言葉を受け取り、且つ、その話された言葉を、情報を含む音声録音として格納する。除細動装置は、緊急応答センターに対して、音声の録音を含む登録された情報を提供する。除細動装置は、例えば、除細動器が患者を治療するために始動されている指示を受け取るのに応答して、音声録音を含む情報を緊急応答センターに提供する。
2007525050.tif 000002
【特許請求の範囲】
【請求項１】
除細動装置からの情報を緊急応答センターに伝達し、且つ、
前記伝達される情報に予め登録された音声メッセージを含むのを備えることを特徴とする方法。
【請求項２】
請求項１に記載の方法において、前記音声メッセージは、前記除細動装置の設置場所を特定する情報を含むことを特徴とする方法。
【請求項３】
請求項１に記載の方法において、伝達する情報は、
前記除細動装置の除細動器が始動されている指示を受け取り、且つ、
前記指示に応答して情報を伝達することを特徴とする方法。
【請求項４】
請求項３に記載の方法において、除細動器が始動されている指示を受け取るのは、前記除細動装置の除細動ベースからの前記除細動器の移動を検出するのを備えることを特徴とする方法。
【請求項５】
請求項３に記載の方法において、除細動器が始動されている指示を受け取るのは、該除細動器が電源投入されている指示、および、該除細動器の電極が患者に装着されている指示の少なくとも１つを備えることを特徴とする方法。
【請求項６】
請求項１に記載の方法において、伝達する情報は、
公衆電話交換ネットワークおよび移動電話ネットワークの少なくとも一方を介して前記緊急応答センターと電話通信を確立するのを備えることを特徴とする方法。
【請求項７】
請求項１に記載の方法において、伝達する情報は、
前記緊急応答センターからの確認を受け取るまで前記音声メッセージを繰り返すのを備えることを特徴とする方法。
【請求項８】
請求項１に記載の方法において、さらに、
緊急呼び出し情報を含むユーザによって話された言葉を受け取り、且つ、
該話された言葉の少なくとも幾つかを、予め録音された音声メッセージとしてメモリに格納するのを備えることを特徴とする方法。
【請求項９】
請求項８に記載の方法において、さらに、
前記ユーザに対して前記緊急呼び出し情報を含む声音応答の提供を促すのを備えることを特徴とする方法。
【請求項１０】
請求項８に記載の方法において、ユーザによって話された言葉を受け取るのは、前記緊急応答センターに対する電話番号を含む言葉を受け取るのを備え、該方法は、さらに、
前記電話番号を含む話された言葉を該電話番号のディジタル表現に変換し、且つ、
該ディジタル表現を前記メモリに格納するのを備え、そして、
伝達する情報は、前記ディジタル表現を使った前記電話番号をダイヤルすることによって前記緊急応答センターと電話接続を確立するのを備えることを特徴とする方法。
【請求項１１】
請求項１〜１０のいずれか１項に記載の方法を実行する装置であって、
予め登録された音声メッセージを格納するメモリと、
除細動装置からの情報を前記予め登録された音声メッセージを含む緊急応答センターに伝達するプロセッサと、を備えることを特徴とする装置。
【請求項１２】
請求項１１に記載の装置において、さらに、
前記除細動装置の除細動ベースから前記除細動装置の除細動器の移動を検出する検出回路を備え、前記プロセッサは、前記検出回路を介して、前記除細動器が前記ベースから移動された指示を受け取ることにより該除細動器が始動されていることの指示を受け取ることを特徴とする装置。
【請求項１３】
請求項１１に記載の装置において、該装置は、除細動器および前記除細動装置の除細動ベースの一方を備えることを特徴とする装置。
【請求項１４】
請求項１〜１０のいずれか１項に記載の方法を実行するシステムであって、
患者に除細動治療を提供する除細動器と、
該除細動器が始動されている指示を受け取る除細動ベースと、を備え、
該装置は、緊急応答センターに予め登録された音声メッセージを含む情報を伝達することを特徴とするシステム。
【請求項１５】
請求項１４に記載のシステムにおいて、前記除細動ベースは、検出回路を含み、該検出回路を介して、前記除細動器の前記除細動ベースからの移動を検出することによって該除細動器が始動されている指示を受け取ることを特徴とするシステム。
【発明の詳細な説明】
【技術分野】
【０００１】
本発明は、除細動器に関し、特に、自動および半自動の体外式除細動器に関する。
【背景技術】
【０００２】
心室細動（ventricular fibrillation）は、心臓の心室（ventricle）の急速な、不規則な、調和の取れていない脱分極によって特徴付けられる。特に、心室細動は、心臓の心室内の動作が不調和となって殆ど血液を送り出すことができなくなるため、生死に関わる。もし、治療をしなければ、細動になっている患者は、数分の内に死に至るであろう。
【０００３】
体外式除細動器（external defibrillator）は、細動になっている心臓に電気パルスを加えるために使用される。パルスは、心臓を脱分極化（depolarize）して心臓に通常の洞調律（sinus rhythm）を回復させる。心室細動の始まりと治療との間の時間を削減するために、スポーツ会場，コンサートホール，美術館，ゴルフコース，ショッピングモール，レストラン，職場等といった場所で、自動または半自動の体外式除細動器の導入がますます進められている。そのような除細動器が始動および設けられることによって、訓練されていない普通の人や最小限の訓練を受けただけの最初に対応する人が、心室細動を起こしている患者に対してすぐに除細動の治療を行うことになるかも知れない。
【発明の開示】
【発明が解決しようとする課題】
【０００４】
しかしながら、緊急応答センターと敏速にコンタクトされ、患者に対してより十分な治療を行うために医療補助員（paramedics）等を送ってもらうことも大切である。除細動器のユーザは、除細動治療を行う前に、電話のある場所まで行き、または、緊急応答センターに電話するのに時間が掛かるかも知れず、除細動治療を行った後に電話をしたり、或いは、見物人が新たに電話をするかも知れない。医療補助員の到着を待っていたのでは、医療の施しを遅延させることになる。さらに、緊急応答センターに電話した誰かが患者が居る場所を十分に説明する能力がない場合、或いは、緊急応答センターに連絡する電話の位置を示す緊急応答センターの様々な表示は、患者が居る場所と相互に関連していないかも知れず、さらに、医療補助員の到着を遅らせることになる。
【課題を解決するための手段】
【０００５】
一般的に、本発明は、除細動装置によって位置決めされる緊急呼び出しのための情報を記録する技術に関する。除細動装置は、除細動器を含み、さらに、除細動ベースも含むかも知れない。除細動ベースは、除細動器を支持するためのものであり、除細動器を壁に取り付けるのを可能にする。いくつかの実施例において、除細動器または除細動ベースの何れかは、緊急呼び出し情報を記録し、そして、緊急呼び出しを行う。
【０００６】
ユーザは、例えば、除細動装置が特別な場所に設置されると、その除細動装置が設置された位置といった情報を登録し、その情報は、除細動装置のメモリに格納される。除細動装置は、設置専門家のようなユーザに情報の登録を促す。除細動装置は、ユーザによって話された言葉を受け取り、且つ、その話された言葉を、情報を含む音声として録音する。
【０００７】
除細動装置は、緊急応答センターに対して、音声の録音を含む登録された情報を提供する。除細動装置は、例えば、除細動器が患者を治療するために始動されている指示を受け取るのに応答して、情報を提供する。この除細動器の始動は、ベースからの除細動器の移動、除細動器の電源投入、除細動器に繋がれた電極セットの患者への装着、或いは、使用を示す他のイベントによって示される。
【０００８】
１つの実施態様において、本発明は、情報が除細動装置から緊急応答センターに伝達される方法に適用される。予め登録された音声メッセージは、伝達される情報に含まれる。その音声メッセージは、除細動装置の設置場所を特定する情報を含む。
【０００９】
別の実施態様において、本発明は、メモリおよびプロセッサを含む装置に適用される。メモリは、予め録音された音声メッセージを格納する。プロセッサは、除細動装置から緊急応答センターに、予め録音された音声メッセージを含む情報を伝達する。その音声メッセージは、除細動装置の設置場所を特定する情報を含む。
【００１０】
別の実施態様において、本発明は、緊急呼び出し情報を含むユーザによって話された言葉が受け取られる方法に適用される。話された言葉の少なくとも幾つかは、緊急呼び出し情報を含む音声メッセージとしてメモリに格納される。この方法は、ユーザに対して緊急呼び出し情報を含む声音応答を提供するのを促すことを含む。その言葉は、受け取られる除細動装置の場所の説明を含み、また、音声メッセージは、その説明を含む。
【００１１】
別の実施態様において、本発明は、マイクロフォン、プロセッサおよびメモリを含む装置に適用される。マイクロフォンは、ユーザによって話された言葉を検出する。プロセッサは、マイクロフォンを介した緊急呼び出し情報を含むユーザによって話された言葉を受け取る。メモリは、緊急呼び出し情報を含む音声メッセージを格納する。装置は、ユーザに対して音声プロンプトを提供するスピーカも含むかも知れない。プロセッサは、ユーザに対してスピーカを介した緊急呼び出し情報を含む声音応答を提供するのを促す。プロセッサにより受け取られた話された言葉は、除細動装置の場所の説明を含み、また、音声メッセージは、その説明を含む。
【００１２】
別の実施態様において、本発明は、除細動器および除細動ベースを含むシステムに適用される。除細動器は、患者に除細動治療を提供する。除細動ベースは、除細動器が始動されている指示を受け取り、予め登録された音声メッセージを含む情報を緊急応答センターに伝達する。音声メッセージは、システムの設置場所を特定する情報を含む。
【００１３】
別の実施態様において、本発明は、除細動装置が設置される場所における方法に適用される。場所に関する情報は、装置のメモリに入力される。
【００１４】
本発明は、１つ以上の長所を提供する。例えば、緊急応答センターに対して登録された情報、特に、位置情報を提供することによって、除細動装置は、該除細動装置が使用される医療の緊急性により素早く応答して医療補助員を許容することができる。除細動装置を使用する人は、電話の場所に行ったり、位置情報を伝えたりといった時間や努力を使うよりも、一層患者の治療に集中することができる。もし、登録された緊急呼び出し情報が位置情報を含めば、医療補助員に対する応答時間は、さらに改善される。
【００１５】
ユーザに対して緊急呼び出し情報を与えることは、ユーザの観点から使用の工程を簡略化する。ユーザに対して音声応答を与えることは、使用の工程をさらに簡略化する。ユーザによって提供される全てまたは幾つかの情報は、除細動装置が始動されたときに緊急応答センターに伝えられる。緊急呼び出し情報を音声録音の形式により緊急応答センターに提供することで、除細動装置は、音声呼び出しを処理するためだけの緊急応答センターの存在とより一層一致協力することができる。
【発明を実施するための最良の形態】
【００１６】
図１は本発明に係る除細動装置１２が緊急応答センター１４に緊急呼び出しを行う環境１０を示すブロック図である。除細動装置１２は、除細動装置の位置といった情報を緊急応答センター１４に提供するために緊急呼び出しを行う。緊急応答センター１４は、緊急医療システム（ＥＭＳ）の派遣センターであり、該緊急応答センター１４に情報を提供することによって、除細動装置１２は、該除細動装置１２が使用される医療の緊急性により素早く応答して医療補助員を可能とすることができる。除細動装置１２は、緊急呼び出しを行って、情報を、公衆電話交換ネットワーク（ＰＳＴＮ：public switched telephone network）、および／または、移動電話ネットワークを含む電話回線１６を介して緊急応答センター１４へ提供する。
【００１７】
ユーザ（図示しない）は、除細動装置１２を使用する緊急呼び出し情報を入力し、除細動装置１２は、その緊急呼び出し情報を格納する。ユーザは、例えば、除細動装置１２をその場所に設置し、その設置の間に、該除細動装置１２の位置に関する情報を含む緊急呼び出し情報を入力する。幾つかの実施例において、除細動装置１２は、設置専門家のようなユーザに緊急呼び出し情報の入力を促す。除細動装置は、ユーザに対して緊急呼び出し情報を入力する処理を介してユーザに一連の案内を提供し、ユーザの観点から使用の工程を簡略化する。
【００１８】
除細動装置１２の幾つかの実施例において、ユーザは、緊急呼び出し情報を言葉で入力する。除細動装置１２は、ユーザによって発せられた言葉を音声録音し、緊急応答センター１４に対して再生する。そのような除細動装置１２の実施例は、さらに、ユーザの観点から使用の工程を簡略化し、例えば、オペレータが電話に応答して医療補助員を派遣する緊急応答センター１４といった音声呼び出しだけを処理するのに適した現存する緊急応答センター１４に対して緊急呼び出し情報を提供することができる。
【００１９】
図２は本発明の一実施例に係る除細動装置１２の例を示す斜視図である。除細動装置１２は、除細動器２０を含んでいる。除細動器２０は、電極セット２２を介して心臓の除細動を受ける患者に電気パルスの形式で治療を施すために使用される。除細動器２０は、自動または半自動の外部除細動器である。
【００２０】
除細動装置１２は、除細動ベース２４も含んでいる。除細動ベース２４は、除細動器２０が使用されていないとき、該除細動器２０を支持し、或いは、別な方法で物理的に除細動器２０と相互に作用する。除細動ベース２４は、図２に描かれるように、除細動装置１２が壁等に取り付けられるように、除細動器２０の支持を提供する。
【００２１】
しかしながら、図２に示される除細動ベース２４の構成は、単なる典型的なものである。例えば、幾つかの実施例において、除細動ベース２４は、除細動器２０にアクセス可能とするドアや壊すことのできるガラスパネルを有するケースを含む。他の実施例において、除細動装置１２は、垂直構造では取り付けられないかも知れない。さらに、他の実施例では、除細動ベース２４は、もはや除細動器２０と物理的に相互に作用しないかも知れない。代わりに、幾つかの実施例において、除細動ベース２４は、除細動器２０のために通信リンクを提供するかも知れない。
【００２２】
除細動ベース２４は、除細動器２０が患者を治療するために始動されていることを示す指示を受け取るのに応答して緊急応答センター１４に呼び出しを行う。ユーザは、患者を治療するために除細動器２０を除細動ベース２４から移動するかも知れない。除細動ベース２４は、除細動器２０が除細動ベース２４に支持されているときは押圧されるフックスイッチ２６を介して除細動器２０が除細動ベース２４から移動されたことを検出する。しかしながら、本発明は、フックスイッチ２６を介して除細動器２０の移動を検出するのに限定されるものではない。例えば、除細動器２０および除細動ベース２４の両方は、電気的な接触、光学的または磁気的な近接センサ等の様々な検出機構を含むかも知れない。いずれの場合においても、除細動ベース２４は、除細動器２０の移動を検出し、自動的に緊急応答センター１４に呼び出しを開始する。
【００２３】
さらに、除細動ベース２４は、除細動器２０の移動を検出することによって、除細動器２０の始動を検出する必要はない。例えば、幾つかの実施例において、除細動ベース２４は、除細動器２０に設けられた無線通信を介して除細動器が始動されている指示を受け取る。除細動ベース２４と除細動器２０との間の無線通信は、無線周波数による通信であり、また、８０２．１１やブルートゥース（Bluetooth（登録商標））仕様のようなローカル無線通信規格の幾つかに従ったものである。除細動器２０は、例えば、電源投入または電極セットが患者に装着されたことの検出により始動を示すメッセージを送信する。このように除細動器の始動を検出することによって、除細動ベース２４は、除細動器２０が除細動ベース２４から移動された状態において緊急応答センター１４に呼び出しを行うのを避けることができる。
【００２４】
緊急応答センター１４に呼び出しを行うために、除細動ベース２４は、電話ジャック２８およびケーブル３０を介して電話回線１６とネットワーク接続する。他の実施例において、除細動ベース２４は、移動電話送受信機（図示しない）を介して電話回線１６とネットワーク接続する。除細動ベース２４のそのような実施例は、据え付けのために電話ジャック２８の存在を必要としないため、幅広い場所に設置することが可能になる。
【００２５】
除細動装置１２は、除細動ベース２４が緊急呼び出しを行う実施例に限定されるものではない。むしろ、除細動器２０は、緊急応答センター１４を呼び出して緊急呼び出し情報を提供するために移動電話送受信機（図示しない）を含んでいる。除細動器２０は、フックスイッチ２６等を含み、除細動ベース２４からの移動を検出することにより始動を検出する。さらなる例として、除細動器２０は、電源投入、或いは、患者に対する電極セット２２の接触によって該除細動器の始動を検出する。これに応答して、除細動器２０は、それ自身で緊急応答センター１４に対する呼び出しを開始する。除細動器２０または除細動ベース２４のどちらかは、セットアップの間に、ユーザからの緊急呼び出し情報を受け取るように構成される。従って、幾つかの実施例において、除細動装置１２は、もはや除細動ベース２４を含まない。
【００２６】
図３は本発明の一実施例に係る除細動ベース２４の例を示すブロック図である。除細動ベース２４は、該除細動ベース２４をここで記述されるように機能させるためのプロセッサ４０を含む。プロセッサ４０は、マイクロプロセッサ，ＡＳＩＣ，ＤＳＰ，ＦＰＧＡ，独立した論理回路等を含んでいる。
【００２７】
除細動ベース２４は、ユーザに情報を伝えるためのＬＥＤやＬＣＤディスプレイといったディスプレイ４２、および／または、スピーカ４４を含む。プロセッサ４０は、ディスプレイ４２およびスピーカ４４の一方または両方を介して、セットアップ中にユーザに対して緊急呼び出し情報の提供を促す。除細動ベース２４は、アルファベットと数字を組み合わせたキーパッドであって、ユーザがセットアップ中に緊急呼び出し情報を入力するキーパッド４６を含むかも知れない。
【００２８】
除細動ベース２４は、付加的に、或いは、代替的に、ユーザによって話された言葉を検出するマイクロフォン４８を含む。プロセッサ４０は、マイクロフォン４８を介した緊急呼び出し情報を含むユーザによって話された言葉を受け取る。緊急呼び出し情報は、除細動器２０または除細動ベース２４の大体の位置を特定するのに役立つ位置情報や他の情報を含み、それにより患者の位置も特定される。プロセッサ４０は、セットアップ中にユーザから受け取った、話された言葉の幾つかまたは全てを保存する音声録音を含む緊急呼び出し情報をメモリ５０に格納する。メモリ５０は、ＲＡＭ，ＲＯＭ，ＣＤ−ＲＯＭ，磁気ディスクまたはＥＥＰＲＯＭといった様々なソリッドステート，磁気または光学メディアの何れかを含む。
【００２９】
図３の例において、除細動ベース２４は、電話回線１６とインターフェース接続するＰＳＴＮインターフェース回路５２を含む。プロセッサ４０は、緊急応答センター１４を呼び出すためにＰＳＴＮインターフェース回路５２を制御し、インターフェース回路５２を介して緊急応答センター１４に緊急呼び出し情報を提供する。代替的に、除細動ベース２４は、移動電話送受信機（図示しない）を含み、プロセッサは、緊急応答センター１４を呼び出し、そして、移動電話送受信機を介して緊急応答センター１４に緊急呼び出し情報を提供する。
【００３０】
プロセッサ４０は、フックスイッチ２６を含む接続検出器５４を介して除細動ベース２４からの除細動器２０の移動を検出することによって、除細動器２０の始動を検出する。プロセッサ４０は、付加的に、または、代替的に、上述した除細動器２０に設けられた無線通信を介して、除細動器２０の始動の指示を受け取る。除細動ベース２４は、除細動器２０と無線通信を行うためのローカル無線送受信機５６を含む。ローカル無線送受信機５６は、無線周波数通信を介して無線通信を容易に行うためのアンテナを含み、８０２．１１やブルートゥース（Bluetooth（登録商標））仕様の一方または両方のようなローカル無線通信規格の１つ以上に従ったものである。
【００３１】
図４は本発明の一実施例に係る除細動器２０の例を示すブロック図である。除細動器２０は、除細動器２０をここで述べるように機能させるように制御するプロセッサ６０を含む。プロセッサ６０は、マイクロプロセッサ，ＡＳＩＣ，ＤＳＰ，ＦＰＧＡ，独立した論理回路等を含んでいる。
【００３２】
除細動器２０は、電極セット２２を介して除細動パルスを患者に届ける回路を含む治療デリバリー回路６２を含んでいる。例えば、治療デリバリー回路６２は、キャパシタを含み、エネルギーを蓄積して除細動パルスの形式で患者に届けるエネルギー蓄積回路を含んでいる。治療デリバリー回路６２は、活性化されたときに、電極セット２２に対してエネルギー蓄積回路を繋ぐスイッチも含んでいる。プロセッサ６０は、治療デリバリー回路６２によって治療の施しを制御する。
【００３３】
上述したように、プロセッサ６０は、除細動ベース２４の無線通信を介して除細動器２０の始動の指示を除細動ベース２４に提供する。除細動器２０は、除細動ベース２４との無線通信のためのローカル無線送受信機６４を含んでいる。ローカル無線送受信機６４は、無線周波数通信を介して無線通信を容易に行うためのアンテナを含み、８０２．１１やブルートゥース（Bluetooth（登録商標））仕様の一方または両方のようなローカル無線通信規格の１つ以上に従ったものである。
【００３４】
プロセッサ６０は、除細動器２０の電源投入によって除細動器２０の始動の指示を除細動ベース２４に提供する。治療デリバリー回路６２は、電極セット２２間のインピーダンスの変化に基づいて該電極セット２２の患者への装着を検出する。このようにして、プロセッサ６０は、治療デリバリー回路による検出に基づいて、除細動器２０の始動の指示を除細動ベース２４に提供する。いくつかの実施例において、除細動器２０は、フックスイッチ２６を含む接続検出回路６６を含んでいる。プロセッサ６０は、接続検出回路６６を介して除細動器２０が除細動ベース２４から移動したのを検出することによって、該除細動器２０の始動を検出し、この検出に基づいて、除細動器２０の始動の指示を除細動ベース２４に提供する。
【００３５】
除細動器２０または除細動ベース２４は、緊急応答センター１４を呼び出して緊急呼び出し情報を該緊急応答センターに提供する。図４の例において、除細動器２０は、移動電話送受信機６８を含み、プロセッサ６０は、緊急応答センター１４を呼び出すために移動電話送受信機６８を制御する。このとき、除細動器２０は、移動電話送受信機６８を介して緊急応答センター１４に緊急呼び出し情報を提供する。プロセッサ６０は、上述した手法の何れかによって除細動器２０の始動の検出に応答して、緊急応答センター１４を呼び出すために移動電話送受信機６８を制御する。
【００３６】
除細動器２０は、セットアップの間に緊急呼び出し情報を受け取って格納する。除細動器２０は、ユーザに情報を伝えるためのＬＥＤやＬＣＤディスプレイといったディスプレイ７０、および／または、スピーカ７２を含む。プロセッサ６０は、ディスプレイ７０およびスピーカ７２の一方または両方を介して、セットアップ中にユーザに対して緊急呼び出し情報の提供を促す。除細動器２０は、アルファベットと数字を組み合わせたキーパッドであって、ユーザがセットアップ中に緊急呼び出し情報を入力するキーパッド７４を含むかも知れない。除細動器２０は、付加的に、または、代替的に、ユーザによって話された言葉を検出するマイクロフォン７６を含む。プロセッサ６０は、マイクロフォン７６を介した緊急呼び出し情報を含むユーザによって話された言葉を受け取る。プロセッサ６０は、セットアップ中にユーザから受け取った音声録音を含む緊急呼び出し情報をメモリ７８に格納する。メモリ７８は、ＲＡＭ，ＲＯＭ，ＣＤ−ＲＯＭ，磁気ディスクまたはＥＥＰＲＯＭといった様々なソリッドステート，磁気または光学メディアの何れかを含む。
【００３７】
図５は本発明の一実施例に係る緊急呼び出し情報を受け取るために除細動装置１２によって使用される方法の一例を示すフローチャートである。特に、図５は、セットアップ中にユーザによって話された言葉としての緊急呼び出し情報を受け取るために、除細動装置１２によって使用される方法の一例を示している。除細動装置１２によって実行されるものとして記述された機能は、除細動器２０または除細動ベース２４の何れかによる様々な実施例において実行される。
【００３８】
除細動装置１２は、ユーザに緊急呼び出し情報を促す（８０）。除細動装置１２は、ディスプレイ４２，７０を介して表示し、或いは、スピーカ４４，７２を介して音声プロンプトを提供する。除細動装置１２は、緊急呼び出し情報を提供するために、組み立てられた手法で、直接ユーザに一連のプロンプトを提供する。例えば、除細動装置１２の据え付け場所に関連する緊急呼び出し情報を収集するために、除細動装置１２は、ユーザに対して除細動装置１２が据え付けられた施設の名前、その施設の街番地、その施設内の除細動装置１２の場所の記載、および、緊急の場合にダイヤルする電話番号を促す。
【００３９】
その後、除細動装置１２は、マイクロフォン４８，７６を介した要求された緊急呼び出し情報を含むユーザによって話された言葉を受け取る（８２）。例えば、ユーザは、除細動装置１２によって提供された各プロンプトに対して、該各プロンプトが提供された後、言葉によって応答する。ここで、除細動装置１２は、上述したように、位置情報を要求する一連のプロンプトを提供し、ユーザは、例えば、施設名のプロンプトに対して『メトロドーム』と答え、施設番地のプロンプトに対して『ミネアポリス，サウス・フィフス・ストリート９００』と答え、場所の記載のプロンプトに対して『セクションＬＬの入り口に近いセカンド・レベル・コンコース』と答え、そして、緊急番号のプロンプトに対して『９−９１１』と答える。除細動装置１２は、ユーザの確認のために、各応答を復唱し、或いは、表示する。
【００４０】
除細動装置１２は、この技術分野で知られている音声認識や翻訳技術、或いは、緊急番号のプロンプトに応答して電話番号のディジタル表示に変換する商業的に入手できるソフトウェアを使用する（８４）。代替的に、ユーザは、プロンプトに応答して、キーパッド４６，７４を介して電話番号を入力する。さらに、幾つかの実施例において、除細動装置１２は、キーパッド４６，７４を介して全ての緊急呼び出し情報を受け取る。音声応答および緊急電話番号のディジタル表示は、メモリ５０，７８に格納される。
【００４１】
図６は本発明の一実施例に係る緊急呼び出しを行う除細動装置１２によって使用される方法の一例を示すフローチャートである。なお、除細動装置１２によって実行されるものとして記述した機能は、除細動器２０または除細動ベース２４の何れかによって様々な実施例において実行される。
【００４２】
除細動装置１２は、除細動器２０が上述した方法の何れかの方法によって始動されているかどうかを決定する（９０，９２）。除細動器２０が始動されているとの決定に応答して、除細動装置１２は、緊急応答センター１４を呼び出すためにメモリ５０，７８に格納されている緊急電話をダイヤルする（９４）。ＰＳＴＮインターフェース５２または移動電話送受信機６８は、緊急応答センター１４との接続が確立されるまで、繰り返し緊急番号をダイヤルする（９６）。
【００４３】
緊急応答センター１４との接続が確立されると、除細動装置１２は、メモリ５０，７８に格納された緊急呼び出し情報を緊急応答センター１４に提供する（９８）。緊急呼び出し情報は、音声記録の形式で格納され、除細動装置１２は、接続を介して緊急応答センター１４に音声記録を再生する。例えば、除細動装置１２がセットアップの間に上述した例のプロンプトを提供し、セットアップの間に上述した例の応答を受け取ると、除細動装置は、緊急応答センター１４に対して音声メッセージ『ここは、メトロドームに位置するＡＥＤです。』を再生する。これは、起こり得る心臓・呼吸の緊急（cardio-respiratory emergency）が進行している場合である。番地は、ミネアポリス，サウス・フィフス・ストリート９００である。場所は、セクションＬＬの入り口に近いセカンド・レベル・コンコースである。ここで、『メトロドーム』、『ミネアポリス，サウス・フィフス・ストリート９００』および『セクションＬＬの入り口に近いセカンド・レベル・コンコース』は、除細動装置１２によって格納された音声録音である。
【００４４】
音声メッセージは、緊急応答センター１４による承認があるまで繰り返される（１００）。例えば、緊急応答センター１４のオペレータは、そのメッセージが受け取られて理解されたときに該緊急応答センター１４のタッチトーン式電話インターフェースを介して承認コードを入力する。そのコードは、『＊７』といった単なるキーの組み合わせである。
【００４５】
本発明の様々な実施例が記述されたが、いわゆる当業者であれば、これらの実施例に対して様々な追加または変形が可能なことが理解される。例えば、除細動装置１２が緊急応答センター１４との接続を確立し、緊急呼び出し情報を緊急応答センター１４に提供した後、除細動装置１２は、除細動装器２０のスピーカ７２およびマイクロフォン７６を介して該除細動装器２０で患者に療を行うユーザとの間に音声チャネルを開設するかも知れない。
【００４６】
この音声チャネルは、例えば、緊急応答センター１４がユーザに対して場所や患者の状態に関するより一層詳しい情報を尋ねることを可能とする。また、音声チャネルは、緊急応答センター１４がユーザに対して、除細動装器２０の適切な使用または適切なＣＰＲ技術といった患者の適切な治療を指導することを可能とする。緊急応答センター１４を呼び出す除細動ベース２４を含む除細動装置１２の実施例において、音声チャネルは、除細動装器２０と除細動ベース２４との間の無線通信を介して提供されるかも知れない。
【図面の簡単な説明】
【００４７】
【図１】本発明に係る除細動装置が緊急応答センターに緊急呼び出しを行う環境を示すブロック図である。
【図２】本発明の一実施例に係る除細動装置の例を示す斜視図である。
【図３】本発明の一実施例に係る除細動ベースの例を示すブロック図である。
【図４】本発明の一実施例に係る除細動器の例を示すブロック図である。
【図５】本発明の一実施例に係る緊急呼び出し情報を受け取るために除細動装置によって使用される方法の一例を示すフローチャートである。
【図６】本発明の一実施例に係る緊急呼び出しを行う除細動装置によって使用される方法の一例を示すフローチャートである。
【図１】
2007525050.tif 000003
【図２】
2007525050.tif 000004
【図３】
2007525050.tif 000005
【図４】
2007525050.tif 000006
【図５】
2007525050.tif 000007
【図６】
2007525050.tif 000008
【手続補正書】
【提出日】平成17年11月8日(2005.11.8)
【手続補正１】
【補正対象書類名】特許請求の範囲
【補正対象項目名】全文
【補正方法】変更
【補正の内容】
【特許請求の範囲】
【請求項１】
体外式除細動器を含む除細動装置からの情報を緊急応答センターに伝達し、且つ、
前記伝達される情報に予め登録された音声メッセージを含むのを備え、該音声メッセージは、前記除細動器の設置場所を特定する情報を含むことを特徴とする方法。
【請求項２】
請求項１に記載の方法において、伝達する情報は、
前記除細動装置の前記体外式除細動器が始動されている指示を受け取り、且つ、
前記指示に応答して情報を伝達することを特徴とする方法。
【請求項３】
請求項２に記載の方法において、前記体外式除細動器が始動されている指示を受け取るのは、前記除細動装置の除細動ベースからの前記体外式除細動器の移動を検出するのを備えることを特徴とする方法。
【請求項４】
請求項２に記載の方法において、前記体外式除細動器が始動されている指示を受け取るのは、該体外式除細動器が電源投入されている指示、および、該体外式除細動器の電極が患者に装着されている指示の少なくとも１つを備えることを特徴とする方法。
【請求項５】
請求項１に記載の方法において、さらに、
緊急呼び出し情報を含むユーザによって話された言葉を受け取り、且つ、
該話された言葉の少なくとも幾つかを、予め録音された音声メッセージとしてメモリに格納するのを備えることを特徴とする方法。
【請求項６】
請求項５に記載の方法において、ユーザによって話された言葉を受け取るのは、前記緊急応答センターに対する電話番号を含む言葉を受け取るのを備え、該方法は、さらに、
前記電話番号を含む話された言葉を該電話番号のディジタル表現に変換し、且つ、
該ディジタル表現を前記メモリに格納するのを備え、そして、
伝達する情報は、前記ディジタル表現を使った前記電話番号をダイヤルすることによって前記緊急応答センターと電話接続を確立するのを備えることを特徴とする方法。
【請求項７】
請求項１〜６のいずれか１項に記載の方法を実行する装置であって、
体外式除細動器を含む除細動装置の設置場所を特定する情報を含む予め登録された音声メッセージを格納するメモリと、
除細動装置からの情報を前記予め登録された音声メッセージを含む緊急応答センターに伝達するプロセッサと、を備えることを特徴とする装置。
【請求項８】
請求項７に記載の装置において、該装置は、前記体外式除細動器および前記除細動装置の除細動ベースの一方を備えることを特徴とする装置。
【請求項９】
請求項１〜６のいずれか１項に記載の方法を実行するシステムであって、
患者に除細動治療を提供する体外式除細動器と、
該除細動器が始動されている指示を受け取る除細動ベースと、を備え、
該装置は、前記除細動ベースの設置場所を特定する情報を含み、緊急応答センターに予め登録された音声メッセージを含む情報を伝達することを特徴とするシステム。
【手続補正２】
【補正対象書類名】明細書
【補正対象項目名】０００５
【補正方法】変更
【補正の内容】
【０００５】
本発明の第１の形態によれば、体外式除細動器を含む除細動装置からの情報を緊急応答センターに伝達し、且つ、前記伝達される情報に予め登録された音声メッセージを含むのを備え、該音声メッセージは、前記除細動器の設置場所を特定する情報を含むことを特徴とする方法が提供される。
本発明の第２の形態によれば、体外式除細動器を含む除細動装置からの情報を緊急応答センターに伝達し、且つ、前記伝達される情報に予め登録された音声メッセージを含むのを備え、該音声メッセージは、前記除細動器の設置場所を特定する情報を含むことを特徴とする方法を実行する装置であって、体外式除細動器を含む除細動装置の設置場所を特定する情報を含む予め登録された音声メッセージを格納するメモリと、除細動装置からの情報を前記予め登録された音声メッセージを含む緊急応答センターに伝達するプロセッサと、を備えることを特徴とする装置が提供される。
本発明の第３の形態によれば、体外式除細動器を含む除細動装置からの情報を緊急応答センターに伝達し、且つ、前記伝達される情報に予め登録された音声メッセージを含むのを備え、該音声メッセージは、前記除細動器の設置場所を特定する情報を含むことを特徴とする方法を実行するシステムであって、患者に除細動治療を提供する体外式除細動器と、該除細動器が始動されている指示を受け取る除細動ベースと、を備え、該装置は、前記除細動ベースの設置場所を特定する情報を含み、緊急応答センターに予め登録された音声メッセージを含む情報を伝達することを特徴とするシステムが提供される。
一般的に、本発明は、除細動装置によって位置決めされる緊急呼び出しのための情報を記録する技術に関する。除細動装置は、除細動器を含み、さらに、除細動ベースも含むかも知れない。除細動ベースは、除細動器を支持するためのものであり、除細動器を壁に取り付けるのを可能にする。いくつかの実施例において、除細動器または除細動ベースの何れかは、緊急呼び出し情報を記録し、そして、緊急呼び出しを行う。
【国際調査報告】
2007525050.tif 000009
2007525050.tif 000010
2007525050.tif 000011